(57)【要約】【課題】ＤＶＤレコーダを内蔵する機器の内部の温度上昇を低減することができるＤＶＤレコーダ内蔵電子機器及びＤＶＤレコーダ内蔵テレビを実現する。【解決手段】ＤＶＤレコーダ内蔵テレビ１０において、ＤＶＤレコーダユニット２が有する排気ファン２３を筐体３の内側に配置し、その排気ファン２３がケース体２２内の空気を排出する空気の流路Ｒであって、排気ファン２３と通気孔３１の間における空気の流路Ｒに沿うように、筐体３の一部が延出されてなる排気流路壁３１と、このＤＶＤレコーダ内蔵テレビ１０に備えられる発熱部品Ｈと、その発熱部品Ｈに対して配設されている放熱板４と、を配置することによって、排気ファン２３からの空気を発熱部品Ｈや放熱板４に当てることでそれらを空冷するとともに、その空気を排気流路壁や放熱板に沿わした安定した流れで筐体３の外側に向けて排出するようにした。【選択図】図２
2007043407.tif 000002
【特許請求の範囲】
【請求項１】
所定の筐体内にＤＶＤレコーダユニットを備えるＤＶＤレコーダ内蔵テレビにおいて、
前記ＤＶＤレコーダユニットは、前記筐体の内側に配置されて当該ＤＶＤレコーダユニットのユニットケース内の空気を前記筐体の外側に排出する排気ファンを有し、
前記筐体における前記排気ファンに対応する位置に形成される通気孔と、前記排気ファンとの間であって、前記排気ファンが前記筐体の外側に向けて排出する空気の流路に沿うように、前記筐体の一部が延出されてなる排気流路壁と、当該ＤＶＤレコーダ内蔵テレビに備えられる発熱部品と、その発熱部品に対して配設されている放熱板と、が配置されていることを特徴とするＤＶＤレコーダ内蔵テレビ。
【請求項２】
所定の電子機器の筐体内にＤＶＤレコーダユニットを備えるＤＶＤレコーダ内蔵電子機器において、
前記筐体の内側に配置されて当該ＤＶＤレコーダユニットのユニットケース内の空気を前記筐体の外側に排出する排気ファンを有し、
前記排気ファンが、前記筐体の外側に向けて排出する空気の流路に、当該ＤＶＤレコーダ内蔵電子機器に備えられる熱放出部材が配置されることを特徴とするＤＶＤレコーダ内蔵電子機器。
【請求項３】
前記筐体の前記排気ファンに対応する位置には、通気孔が形成されており、
前記排気ファンと前記通気孔の間における前記空気の流路に沿うように、当該ＤＶＤレコーダ内蔵電子機器の発熱部品に対して配設されている放熱板が備えられていることを特徴とする請求項２に記載のＤＶＤレコーダ内蔵電子機器。
【請求項４】
前記発熱部品は、前記放熱板における前記空気の流路側に配設されていることを特徴とする請求項３に記載のＤＶＤレコーダ内蔵電子機器。
【請求項５】
前記空気の流路に沿うように、前記筐体の一部が延出されてなる排気流路壁が形成されていることを特徴とする請求項２〜４のいずれか一項に記載のＤＶＤレコーダ内蔵電子機器。
【発明の詳細な説明】
【技術分野】
【０００１】
本発明は、ＤＶＤレコーダ内蔵電子機器及びＤＶＤレコーダ内蔵テレビに関する。
【背景技術】
【０００２】
従来、ＤＶＤ（Digital Versatile Disk）レコーダには、排気ファンが設けられている。ＤＶＤレコーダを高温環境下で動作させてしまうと、高温下でＤＶＤに記録したデータを再生する際に不具合が生じることがあるので、排気ファンがＤＶＤレコーダ内部の空気を排出し換気することによって、ＤＶＤレコーダ内部の温度上昇を低減するようになっている。
【０００３】
また、電子機器であるテレビがＤＶＤレコーダを一体的に備えるＤＶＤレコーダ内蔵テレビ１５には、図７に示すように、水平／垂直偏向回路Ｈが図示しない基板に備えられるとともに、各偏向回路が発する熱を放出しやすいように、各偏向回路に対して放熱板４ａが配設されている。また、水平／垂直偏向回路Ｈの近傍にはフライバックトランスＦが備えられている。
【０００４】
なお、このＤＶＤレコーダ内蔵テレビ１５のＤＶＤレコーダ２ａにも、排気ファン２３が設けられている。
【０００５】
また、従来、映像表示を行うテレビ部の上面側に、映像などに関する画像の印刷を行うプリンタ部が配設されているプリンタ一体型テレビが知られている（例えば、特許文献１参照。）。
【０００６】
このテレビ部にはブラウン管（陰極線管）が収容されているため、ブラウン管から放出される熱によって、テレビ部の内部は比較的高温になりやすい。一方、プリンタ部は、熱により変質・劣化しやすいインクリボンを収納しているため、テレビ部から熱が伝達されてしまうと、不具合が生じやすくなる。
【０００７】
そのため、このプリンタ一体型テレビには、テレビ部とプリンタ部の間に断熱室が設けられており、断熱室内部の空気と外部の空気をファンによって循環対流させることによって、テレビ部からプリンタ部への熱伝導を妨げて、インクリボンの劣化を抑制するようになっている。
【特許文献１】特開２００３−３０４４７０号公報
【発明の開示】
【発明が解決しようとする課題】
【０００８】
しかしながら、上記従来技術におけるＤＶＤレコーダ内蔵テレビ１５の場合、排気ファン２３によりＤＶＤレコーダ２ａ内部の空気を排気することによって、ＤＶＤレコーダ２ａ内部の温度上昇を低減することはできるが、水平／垂直偏向回路Ｈから放出される熱によって、ＤＶＤレコーダ内蔵テレビ１５の内部温度が上昇してしまうことがあり、ＤＶＤレコーダ２ａの周囲が比較的高温になるなど、ＤＶＤレコーダ２ａにとっては好ましくない温度環境になってしまうことがあった。
【０００９】
また、上記特許文献１における断熱室に関する技術をＤＶＤレコーダ内蔵テレビ１５に適用する場合、ＤＶＤレコーダ２ａの周囲を断熱室で覆うためのスペースを確保するために、そのテレビ自体が大型化してしまう問題があった。また、その断熱室に関する技術を適用しても、水平／垂直偏向回路Ｈから放出される熱によって、ＤＶＤレコーダ内蔵テレビ１５の内部温度が上昇してしまうことを解決することはできなかった。
【００１０】
本発明の目的は、ＤＶＤレコーダを内蔵する機器の内部の温度上昇を低減することができるＤＶＤレコーダ内蔵電子機器及びＤＶＤレコーダ内蔵テレビを提供することである。
【課題を解決するための手段】
【００１１】
以上の課題を解決するため、請求項１記載の発明は、所定の筐体内にＤＶＤレコーダユニットを備えるＤＶＤレコーダ内蔵テレビにおいて、前記ＤＶＤレコーダユニットは、前記筐体の内側に配置されて当該ＤＶＤレコーダユニットのユニットケース内の空気を前記筐体の外側に排出する排気ファンを有し、前記筐体における前記排気ファンに対応する位置に形成される通気孔と、前記排気ファンとの間であって、前記排気ファンが前記筐体の外側に向けて排出する空気の流路に沿うように、前記筐体の一部が延出されてなる排気流路壁と、当該ＤＶＤレコーダ内蔵テレビに備えられる発熱部品と、その発熱部品に対して配設されている放熱板と、が配置されていることを特徴とする。
【００１２】
請求項２記載の発明は、所定の電子機器の筐体内にＤＶＤレコーダユニットを備えるＤＶＤレコーダ内蔵電子機器において、前記筐体の内側に配置されて当該ＤＶＤレコーダユニットのユニットケース内の空気を前記筐体の外側に排出する排気ファンを有し、前記排気ファンが、前記筐体の外側に向けて排出する空気の流路に、当該ＤＶＤレコーダ内蔵電子機器に備えられる熱放出部材が配置されることを特徴とする。
【００１３】
請求項３記載の発明は、請求項２に記載のＤＶＤレコーダ内蔵電子機器において、前記筐体の前記排気ファンに対応する位置には、通気孔が形成されており、前記排気ファンと前記通気孔の間における前記空気の流路に沿うように、当該ＤＶＤレコーダ内蔵電子機器の発熱部品に対して配設されている放熱板が備えられていることを特徴とする。
【００１４】
請求項４記載の発明は、請求項３に記載のＤＶＤレコーダ内蔵電子機器において、前記発熱部品は、前記放熱板における前記空気の流路側に配設されていることを特徴とする。
【００１５】
請求項５記載の発明は、請求項２〜４のいずれか一項に記載のＤＶＤレコーダ内蔵電子機器において、前記空気の流路に沿うように、前記筐体の一部が延出されてなる排気流路壁が形成されていることを特徴とする。
【発明の効果】
【００１６】
請求項１記載の発明によれば、ＤＶＤレコーダ内蔵テレビにおいて、ＤＶＤレコーダユニットが有する排気ファンを筐体の内側に配置し、その排気ファンがユニットケース内の空気を筐体に形成された通気孔からその筐体の外側に向けて排出する空気の流路であって、排気ファンと通気孔の間における空気の流路に沿うように、筐体の一部が延出されてなる排気流路壁と、このＤＶＤレコーダ内蔵テレビに備えられる発熱部品と、その発熱部品に対して配設されている放熱板と、が配置されているので、排気ファンからの空気（風）を発熱部品や放熱板に当てて、それらを空冷することができる。
【００１７】
特に、空気の流路に沿うように配置される排気流路壁と放熱板によって、その流路を囲うことにより、排気ファンからの空気（風）を排気流路壁や放熱板に沿って安定した流れで筐体の外側に向けて排出することができる。
【００１８】
そして、その流路における空気の流れが安定することによって、排気ファンからの空気（風）が放熱板や発熱部品に安定して当たることとなるので、その空気（風）により放熱板や発熱部品を効率的に空冷することができ、発熱部品が発する熱を、放熱板を介して効率的に筐体の外側に放出することができる。
【００１９】
そして、放熱板や発熱部品に当たり、放熱板や発熱部品を冷却した空気を筐体の外側へ排気することによって、ＤＶＤレコーダユニットのユニットケース内の空気とともに、筐体内や流路内の空気を筐体の外側へ排出することができる。
【００２０】
このように、このＤＶＤレコーダ内蔵テレビは、ＤＶＤレコーダユニットに備えられる排気ファンによって、ＤＶＤレコーダユニットのユニットケース内の空気を筐体の外側に向けて排気することとともに、筐体内で高温となる発熱部品や、発熱部品に対して配設さ
れている放熱板を空冷しつつ、その筐体内の空気を筐体の外側に排気することができるので、ＤＶＤレコーダ内蔵テレビの筐体の内部の温度上昇を低減することができる。
【００２１】
請求項２記載の発明によれば、ＤＶＤレコーダ内蔵電子機器における筐体の内側であって、ＤＶＤレコーダユニットの近傍に排気ファンを配置し、その排気ファンがユニットケース内の空気を筐体の外側に向けて排出する空気の流路に、このＤＶＤレコーダ内蔵電子機器に備えられる熱放出部材を配置することによって、排気ファンからの空気（風）を熱放出部材に当てて、その熱放出部材を空冷することができる。
【００２２】
そして、熱放出部材に当たり、熱放出部材を冷却した空気を筐体の外側へ排気することによって、ＤＶＤレコーダユニットのユニットケース内の空気とともに、筐体内や流路内の空気を筐体の外側へ排出することができる。
【００２３】
このように、このＤＶＤレコーダ内蔵電子機器は、ＤＶＤレコーダユニットに備えられる排気ファンによって、ＤＶＤレコーダユニットのユニットケース内の空気を筐体の外側に向けて排気することとともに、筐体内で高温となる熱放出部材を空冷しつつ、その筐体内の空気を筐体の外側に排気することができるので、ＤＶＤレコーダ内蔵電子機器の筐体の内部の温度上昇を低減することができる。
【００２４】
請求項３記載の発明によれば、請求項２に記載の発明と同様の効果が得られることは無論のこと、ＤＶＤレコーダ内蔵電子機器は、排気ファンと、筐体に形成された通気孔との間における空気の流路に沿うように、このＤＶＤレコーダ内蔵電子機器が備える発熱部品に対して配設されている放熱板が備えられているので、排気ファンからの空気（風）をその放熱板に沿って安定した流れで筐体の外側に向けて排出することができる。
【００２５】
そして、その流路における空気の流れが安定することによって、排気ファンからの空気（風）が放熱板に安定して当たることとなるので、その空気（風）により放熱板を効率的に空冷することができ、発熱部品が発する熱を、放熱板を介して効率的に筐体の外側に放出することができる。
【００２６】
従って、このＤＶＤレコーダ内蔵電子機器は、ＤＶＤレコーダ内蔵電子機器の筐体の内部の温度上昇を低減することができる。
【００２７】
請求項４記載の発明によれば、請求項３に記載の発明と同様の効果が得られることは無論のこと、ＤＶＤレコーダ内蔵電子機器の発熱部品は、放熱板における空気の流路側に配設されているので、排気ファンからの空気（風）が発熱部品に直接当たることとなり、その空気（風）によって発熱部品自体を空冷することができる。また、発熱部品に当たった空気は通気孔から筐体の外側に放出されるようになっている。
【００２８】
従って、このＤＶＤレコーダ内蔵電子機器は、ＤＶＤレコーダ内蔵電子機器の筐体の内部の温度上昇を低減することができる。
【００２９】
請求項５記載の発明によれば、請求項２〜４のいずれか一項に記載の発明と同様の効果が得られることは無論のこと、ＤＶＤレコーダ内蔵電子機器は、筐体内の空気の流路に沿うように、筐体の一部が延出されてなる排気流路壁が形成されているので、排気ファンからの空気（風）をその排気流路壁に沿って安定した流れで筐体の外側に向けて排出することができる。
【００３０】
そして、その流路における空気の流れが安定することによって、排気ファンからの空気（風）が、熱放出部材、または、放熱板や発熱部品に安定して当たることとなるので、その空気（風）により熱放出部材、または、放熱板や発熱部品を効率的に空冷することができ、それらが発する熱を効率的に筐体の外側に放出することができる。
【００３１】
従って、このＤＶＤレコーダ内蔵電子機器は、ＤＶＤレコーダ内蔵電子機器の筐体の内部の温度上昇を低減することができる。
【発明を実施するための最良の形態】
【００３２】
以下、図面を参照して本発明に係るＤＶＤレコーダ内蔵電子機器の実施の形態について詳細に説明する。なお、本実施形態では、ＤＶＤレコーダ内蔵電子機器として、テレビ受像機の筐体内にＤＶＤレコーダを一体的に備えるＤＶＤレコーダ内蔵テレビを例に挙げて説明する。
【００３３】
図１から図３に示すように、ＤＶＤレコーダ内蔵テレビ１０は、映像を表示するブラウン管１と、ＤＶＤ（以下、ディスクＤ）に映像／音声データを記録するＤＶＤレコーダユニット２と、ブラウン管１やＤＶＤレコーダユニット２を覆う筐体であるキャビネット３等を備えている。
【００３４】
また、ＤＶＤレコーダ内蔵テレビ１０は、図示しない受信部と、その受信部や外部機器からの映像信号の入力を受け付ける入力部（図示省略）と、テレビ装置各部の動作処理を制御する制御部（図示省略）を備えている。なお、図示しない受信部や入力部や制御部を構成する電子部品Ｂは、基板Ｐに配設されて、キャビネット３内に備えられている。
【００３５】
ブラウン管１は、映像を表示する所定の管面１ａを有し、その管面１ａはキャビネット３の前面側の開口部に配置されている。そして、ブラウン管１は、図示しない入力部に入力された映像信号に基づく映像を管面１ａに表示する。
【００３６】
なお、ブラウン管１は、映像信号に基づく電子ビームを出力し、その電子ビームを管面１ａの蛍光面に当てることにより映像を形成する周知の映像表示機器であるので、ここでは詳述しない。
【００３７】
ＤＶＤレコーダユニット２は、ディスクＤを装填するトレイ２１と、トレイ２１やディスクＤにデータを記録する記録部（図示省略）等を覆うユニットケース（以下、ケース体）２２と、ケース体２２内の空気をキャビネット３の外側に向けて排出する排気ファン２３等を備えている。
【００３８】
なお、ＤＶＤレコーダユニット２は、図示しない入力部に入力された映像信号に関するデータをディスクＤに書き込み、記録する周知の機器であるので、ここでは詳述しない。
【００３９】
図示しない受信部は、例えば、アンテナ機器を有し、選局されたチャンネルなどに応じた所定の映像信号を受信するとともに、受信した映像信号を図示しない入力部に送出する。
【００４０】
図示しない入力部は、受信部（図示省略）やＤＶＤプレーヤ、その他の外部機器からの映像信号の入力を受け付けるとともに、図示しない制御部の制御処理によって、その映像信号をブラウン管１に出力する。また、図示しない入力部は、入力された映像信号等に関するデータを図示しない制御部の制御処理によってＤＶＤレコーダに出力し、ディスクＤに記録させる。
【００４１】
また、ＤＶＤレコーダ内蔵テレビ１０は、図示しない音声出力部を備えており、その音声出力部は、映像信号に基づきブラウン管１に表示される映像に対応する音声を出力する。
【００４２】
そして、ＤＶＤレコーダユニット２が有するケース体２２は、例えば、鉄製のケースであり、ＤＶＤレコーダユニット２内に不要な電波が侵入しないようにシールドするためにＤＶＤレコーダを覆うケースである。
【００４３】
このケース体２２は、排気ファン２３も覆っているが、排気ファン２３が空気を排出する部分には、図３に示すように、通気が可能なように開口部２２ａが形成されている。
【００４４】
このケース体２２の開口部２２ａの形状（図３参照）は、シールド効果を有する形状であって、ケース体２２自体が開口していても、ケース体２２の中に電波が侵入しないようになっている。なお、この開口部２２Ａは、ケース体２２を構成する鉄板を、同心円（図３中、３つの同心円）形状と、その同心円の中心で交差する十字形状が組み合わされて成る網目状に形成した際のスリットや隙間などからなる。
【００４５】
排気ファン２３は、図示しない駆動モータによって回転されることによって、ケース体２２内の空気をキャビネット３の外側に向けて排気する。
【００４６】
なお、排気ファン２３によって、ケース体２２内の空気が排気されることに伴い、ＤＶＤレコーダユニット２のトレイ２１がケース体２２に出入するための隙間などから、ケース体２２内に外気が吸気される。
【００４７】
キャビネット３は、例えば、樹脂材料からなり、ＤＶＤレコーダ内蔵テレビ１０を構成する各部、各部材を保護するように覆うとともに、内部に埃等が侵入しないように覆っている。
【００４８】
このキャビネット３の後面側であって、排気ファン２３に対応する位置であり、ケース体２２の開口部２２ａが対向する位置には、キャビネット３がメッシュ状に開口された通気孔３１が形成されている。
【００４９】
また、キャビネット３の通気孔３１の近傍には、ＤＶＤレコーダユニット２のケース体２２の開口部２２ａに向かって延出するようにキャビネット３と一体に形成されてなる排気流路壁３２が設けられている。この排気流路壁３２は、図３に示すように、縦断面視略Ｌ字形状を呈し、排気ファン２３と通気孔３１の間における上面側と、一方の側面側（図３中、右側面）を囲うように配置されている。
【００５０】
また、キャビネット３内の、排気ファン２３と通気孔３１の間における他方の側面側（図３中、左側面）には、放熱板４が配置されている。
【００５１】
この放熱板４は、例えば、ＤＶＤレコーダ内蔵テレビ１０に備えられる電子部品のうち、高圧系の回路である水平／垂直偏向回路など、高温に発熱しやすい発熱部品Ｈに対して配設される鉄製のヒートシンクであり、高温となる発熱部品Ｈの温度を下げるためにその熱を放出するための熱放出部材である。
【００５２】
なお、発熱部品Ｈは図示しない基板に配設されており、また、放熱板４の近傍においてフライバックトランスＦが図示しない基板に配設されている。
【００５３】
また、右側面側の排気流路壁３２と放熱板４の間であって、キャビネット３の底面側（図３中、上面側の排気流路壁３２に対向するキャビネット３の下面側）に、基板（図示省略）に配設される発熱部品Ｈや電子部品Ｂを配置してもよい。
【００５４】
このように、排気ファン２３がキャビネット３の外側に向けてケース体２２内の空気を排出する空気の流路Ｒであって、排気ファン２３とキャビネット３の通気孔３１の間における空気の流路Ｒに沿うように、排気流路壁３２と放熱板４が配置されているので、その排気流路壁３２と放熱板４が、ケース体２２から排気ファン２３によって排気される空気をキャビネット３の外側に向けて排出するための流路Ｒのスペースを形成している。
【００５５】
つまり、排気流路壁３２と放熱板４が流路Ｒを囲う壁面となり、その流路Ｒにおける排気の流れを安定させることによって、良好にケース体２２内の空気がキャビネット３の外側に排出されるようになっている。
【００５６】
そして、その流路Ｒにおける空気の流れが安定することによって、排気ファン２３からの風が放熱板４に安定して当たることとなるので、その風により放熱板４を効率的に空冷することができ、放熱板４が発熱部品Ｈの熱を効率的に放出することが可能になる。
【００５７】
特に、部品自身が発熱している熱放出部材である発熱部品Ｈが流路Ｒ側に配置されるように放熱板４を配設することによって排気ファン２３からの風を、放熱板４とともに高温となる発熱部品Ｈに直接当てることができるので、発熱部品Ｈをより効率的に冷却することができる。
【００５８】
そして、放熱板４や発熱部品Ｈに当たり、放熱板４や発熱部品Ｈを冷却した風（空気）は、通気孔３１からキャビネット３の外側へ排出される。
【００５９】
このように、ＤＶＤレコーダ内蔵テレビ１０において、ＤＶＤレコーダユニット２に備えられる排気ファン２３を、キャビネット３の内側に配置し、その排気ファン２３がケース体２２内の空気をキャビネット３の外側に排出する空気の流路Ｒをつくるとともに、その流路Ｒに沿うように配置した放熱板４や発熱部品Ｈに対して排気ファン２３からの風（空気）を当てることによって、放熱板４や発熱部品Ｈを空冷することができる。
【００６０】
そして、放熱板４や発熱部品Ｈに当たり、放熱板４や発熱部品Ｈを冷却した空気を、通気孔３１からキャビネット３の外側へ排出することによって、ＤＶＤレコーダユニット２のケース体２２内の空気とともに、キャビネット３内（特に、流路Ｒ内）の空気をキャビネット３の外側へ排出することができる。
【００６１】
つまり、このＤＶＤレコーダ内蔵テレビ１０は、ＤＶＤレコーダユニット２に備えられる排気ファン２３によって、ＤＶＤレコーダユニット２のケース体２２内の空気をキャビネット３の外側に排気することとともに、キャビネット３内で高温となる熱放出部材（放熱板４、発熱部品Ｈ）を空冷しつつ、そのキャビネット３内の空気をキャビネット３の外側に排気することができるので、ＤＶＤレコーダ内蔵テレビ１０のキャビネット３内部の温度上昇を低減することができる。
【００６２】
よって、ＤＶＤレコーダ内蔵テレビ１０は、ＤＶＤレコーダユニット２の排気ファン２３により、ケース体２２内とキャビネット３内の温度上昇を低減することによって、ＤＶＤレコーダ内蔵テレビ１０のＤＶＤレコーダおよびテレビ受像機を良好に動作させることができる。
【００６３】
なお、本発明は上記実施形態に限られるものではない。
【００６４】
例えば、図４、図５に示すように、ＤＶＤレコーダ内蔵テレビ１１において、排気ファン２３とキャビネット３の通気孔３１の間における空気の流路Ｒに対する一方側（図４・図５中、右側）に、電源回路などの高温に発熱しやすい発熱部品Ｈとその発熱部品Ｈに対して配設される放熱板４を配置し、また、空気の流路Ｒに対する他方側（図４・図５中、左側）に、水平／垂直偏向回路などの高温に発熱しやすい発熱部品Ｈとその発熱部品Ｈに対して配設される放熱板４を配置するとともに、その流路Ｒの上面側に、ケース体２２の開口部２２ａに向かって延出するようにキャビネット３と一体に形成されてなる排気流路壁３２ａを設けるようにしてもよい。
【００６５】
このようなＤＶＤレコーダ内蔵テレビ１１であっても、各放熱板４と排気流路壁３２ａによって、流路Ｒにおける空気の流れを安定させて、ケース体２２内とキャビネット３内の空気をキャビネット３の外側に排出しつつ、各放熱板４や発熱部品Ｈを空冷することができる。
【００６６】
また、図６に示すように、ＤＶＤレコーダ内蔵テレビ１２において、排気ファン２３を覆うケース体２２部分を、テレビ受像機の前後方向（図６中、上下方向）に延出し、ケース体２２の開口部２２ａをキャビネット３の通気孔３１に近接させるようにして、そのケース体２２内に流路Ｒをつくるとともに、そのケース体２２を放熱板（ヒートシンク）とするように、発熱部品Ｈを配置するようにしてもよい。
【００６７】
このようなＤＶＤレコーダ内蔵テレビ１２であっても、ケース体２２によって、流路Ｒにおける空気の流れを安定させて、ケース体２２内の空気をキャビネット３の外側に排出しつつ、発熱部品Ｈを空冷することができる。
【００６８】
なお、以上の実施の形態においては、ＤＶＤレコーダ内蔵電子機器として、テレビ受像機の筐体内にＤＶＤレコーダを内蔵するＤＶＤレコーダ内蔵テレビを例に挙げて説明したが、本発明はこれに限定されるものではなく、ＤＶＤレコーダを内蔵する電子機器であれば任意の機器であってよく、例えば、電子機器はビデオデッキであって、ＤＶＤレコーダ内蔵ビデオデッキに本発明を適用してもよい。
【００６９】
また、以上の実施の形態においては、放熱板４に対して流路Ｒ側に発熱部材Ｈを配設して、放熱板４とともに発熱部材Ｈ自体も空冷するように説明したが、本発明はこれに限定されるものではなく、放熱板４に対して流路Ｒの反対面側に発熱部材Ｈを配設して、放熱板４を空冷することによって発熱部品Ｈの温度を下げるようにしてもよい。
【００７０】
また、ＤＶＤレコーダユニット２０は、ディスクＤにデータを記録するばかりでなく、ディスクＤに記録されたデータの再生を行うことも可能であり、ＤＶＤプレーヤとしての機能も有する。
【００７１】
また、その他、具体的な細部構造等についても適宜に変更可能であることは勿論である。
【図面の簡単な説明】
【００７２】
【図１】本発明に係るＤＶＤレコーダ内蔵テレビを示す側面視断面図である。
【図２】図１のII−II線におけるＤＶＤレコーダ内蔵テレビの平面視断面図である。
【図３】図１のIII−III線におけるＤＶＤレコーダ内蔵テレビの縦断面図である。
【図４】ＤＶＤレコーダ内蔵テレビの第１の変形例を示す平面視断面図である。
【図５】ＤＶＤレコーダ内蔵テレビの第１の変形例を示す縦断面図である。
【図６】ＤＶＤレコーダ内蔵テレビの第２の変形例を示す平面視断面図である。
【図７】従来のＤＶＤレコーダ内蔵テレビを示す平面視断面図である。
【符号の説明】
【００７３】
１      ブラウン管
２      ＤＶＤレコーダユニット
２１    トレイ
２２    ケース体（ユニットケース）
２２ａ  開口部
２３    排気ファン
３      キャビネット（筐体）
３１    通気孔
３２    排気流路壁
４      放熱板（熱放出部材）
１０    ＤＶＤレコーダ内蔵テレビ（ＤＶＤレコーダ内蔵電子機器）
Ｄ      ディスク（ＤＶＤ）
Ｈ      発熱部品（熱放出部材）
Ｒ      流路（空気の流路）
【図１】
2007043407.tif 000003
【図２】
2007043407.tif 000004
【図３】
2007043407.tif 000005
【図４】
2007043407.tif 000006
【図５】
2007043407.tif 000007
【図６】
2007043407.tif 000008
【図７】
2007043407.tif 000009